(57)【要約】【課題】画像表示窓を備えたマット付きの額縁に入れた場合でも、画像部が不用意に隠れることのないプリントを作成出来る写真処理装置を提供する。【解決手段】写真処理装置の駆動を制御するための制御手段と、この制御手段に各種情報を入力するための入力手段が備えられ、制御手段には、プリント用紙のサイズを設定するための用紙サイズ設定機能と、前記画像表示窓の縦及び横方向の開口寸法に基づいて、プリントする画像の大きさを設定するための画像寸法設定機能と、用紙サイズ設定機能で設定されたプリント用紙に対して画像寸法設定機能で設定された画像のプリント位置を設定するためのプリント位置設定機能とが備えられ、これら設定機能の動作により、画像表示窓を有するマットを備えた額縁用のプリントを作成可能とした。【選択図】　図２
2004133116.tif 000002
【特許請求の範囲】
【請求項１】
画像表示窓を有するマットを備えた額縁用のプリントが作成可能な写真処理装置であって、
写真処理装置の駆動を制御するための制御手段と、この制御手段に各種情報を入力するための入力手段が備えられ、
制御手段には、
プリント用紙のサイズを設定するための用紙サイズ設定機能と、
前記画像表示窓の縦及び横方向の開口寸法に基づいて、プリントする画像の大きさを設定するための画像寸法設定機能と、
用紙サイズ設定機能で設定されたプリント用紙に対して画像寸法設定機能で設定された画像のプリント位置を設定するためのプリント位置設定機能とが備えられていることを特徴とする写真処理装置。
【請求項２】
画像寸法設定機能が、画像表示窓の縦及び横方向の開口寸法に対して予め設定された長さを加えた大きさに設定するようにしていることを特徴とする請求項１に記載の写真処理装置。
【発明の詳細な説明】
【０００１】
【発明の属する技術分野】
本発明は、主としてプリント用紙に画像をプリント処理する写真処理装置に関するものであって、画像表示窓を有するマットを備えた額縁用のプリントを作成出来るようにするものである。
【０００２】
【従来の技術】
一般にこの種の写真処理装置は、スキャナで読み取った現像済フィルムのコマ画像等を画像データに処理するための画像処理機と、画像処理機で処理された画像データをプリント用紙に焼き付けるための焼付処理機と、この焼付処理機で画像の焼き付けられたプリント用紙を現像処理するための現像処理機とが備えられている。
【０００３】
そして以上の写真処理装置では、画像処理機で処理された画像データを焼付処理機によりプリント用紙に焼付処理した後、そのプリント用紙を現像処理機で現像処理して、プリントを仕上げるようにしているのであって、プリントの仕方には、プリント用紙全面に画像が表示された枠無しプリントと、プリント用紙の周囲に予め設定されている幅の白縁部分を備えた枠付プリントとがある。
【０００４】
また、前述の枠付プリントを作成するに当たって、白抜き部分の幅を変更可能とした写真処理装置も提案（特許文献１参照）されている。
【０００５】
【特許文献１】
特開平９−１４６７２１号（段落番号１０７）
【０００６】
【発明が解決しようとする課題】
ところで、以上の写真処理装置により作成されたプリントを例えば市販の額縁に収容して飾ることがあるが、通常、市販の額縁は、矩形の画像表示窓を有するマットが入れられており、このマットの裏面側に作成したプリントを配置して、プリントの画像をマットの画像表示窓から見るようにしている。
【０００７】
しかしながら、例えば六切りサイズ（２０３ｍｍ×２５４ｍｍ）のプリントを入れるための額縁であっても、マットに形成されている画像表示窓の縦及び横方向の寸法が、製造メーカーによって異なることから、前述した枠無しプリントは勿論のこと、枠付プリントであっても、そのプリントを額縁に入れた際、ともすると、プリント画像の周縁部位がマットで隠れてしまって、撮影者の意思に反して、表示したい画像の一部が画像表示窓からは見えなくなる不具合がある。
【０００８】
一方、前述の公開公報（特開平９−１４６７２１号）に開示されている写真処理装置は、白抜き部分の幅を全周にわたって同一寸法で変更するだけのものであるため、この写真処理装置にあっても、前述と同様の不具合、即ち、プリントを額縁に入れた際、表示したい画像の一部が画像表示窓からは見えなくなる不具合を解消することが出来ないものである。
【０００９】
本願発明は以上の実情に鑑みて開発したものであって、目的とするところは、画像表示窓を備えたマット付きの額縁に入れた場合でも、画像部分が不用意に隠れることのないプリントを作成出来る写真処理装置を提供するにある。
【００１０】
【課題を解決するための手段】
前記した目的を達成するために、請求項１に記載の発明は、画像表示窓を有するマットを備えた額縁用のプリントが作成可能な写真処理装置であって、写真処理装置の駆動を制御するための制御手段と、この制御手段に各種情報を入力するための入力手段が備えられ、制御手段には、プリント用紙のサイズを設定するための用紙サイズ設定機能と、前記画像表示窓の縦及び横方向の開口寸法に基づいて、プリントする画像の大きさを設定するための画像寸法設定機能と、用紙サイズ設定機能で設定されたプリント用紙に対して画像寸法設定機能で設定された画像のプリント位置を設定するためのプリント位置設定機能とが備えられていることを特徴とするものである。
【００１１】
また請求項２に記載の発明は、請求項１に記載の画像寸法設定機能が、画像表示窓の縦及び横方向の開口寸法に対して予め設定された長さを加えた大きさに設定するようにしていることを特徴とするものである。
【００１２】
【発明の実施の形態】
図１は、本発明にかかる写真処理装置の一例を概略的に示したものである。
【００１３】
図１において符号１で示すこの写真処理装置は、基本的には、印画紙から成るプリント用紙Ｐに画像Ｍをプリント処理するためのものであって、
現像済フィルムをセットするためのフィルムマスクユニット２１、このフィルムマスクユニット２１にセットされた現像済フィルムのコマ画像を読み取るためのスキャナ２２、ＭＯなどの記録メディアに記録した画像データを読み取るための読み取り装置２３、スキャナ２２または読み取り装置２３で読み取った画像データに主として各種の画像処理を施すための画像処理部２４を搭載した画像処理機２と、
画像処理機２で処理された画像データにより、プリント用紙Ｐに画像Ｍを焼き付けるためのプリンター３と、
プリンター３で画像Ｍが焼き付けられたプリント用紙Ｐを現像するためのプロセッサ４とから構成されている。
【００１４】
画像処理機２に搭載されているスキャナ２２は、現像済フィルムをフィルムマスクユニット２１にセットすることにより、光源ユニット２０からの光を、フィルムマスクユニット２１にセットされた現像済フィルムに照射して各コマの画像Ｍを順次読み取って画像処理部２４に出力し、また画像処理部２４では、スキャナ２２または読み取り装置２３で読み取られた画像データに各種画像処理を施すようにしている。
【００１５】
画像処理部２４は、図２に示すように、画像処理ソフトウエア等がインストールされたコンピュータから成るメインコントローラ２５と、メインコントローラ２５に各種情報を入力するための入力手段としてのキーボード２６ａ及びマウス２６ｂと、各種情報を表示するための表示手段としてのモニター２７とから構成されている。
【００１６】
そしてスキャナ２２若しくは読み取り装置２３により読み取られた画像データは、所定の処理プログラムとキーボード２６ａまたはマウス２６ｂにより入力されるプリントサイズなどの各種情報に基づいてメインコントローラ２５により適宜処理された後、順次、プリントデータとしてプリンター３に搭載したサブコントローラ３０に出力するようにしている。
【００１７】
プリンター３は、画像処理機２の画像処理部２４で作成されたプリントデータをプリント用紙Ｐに焼き付けるためのものであり、画像処理部２４から出力されたプリントデータなどを入力するためのサブコントローラ３０と、ロール状に巻かれたプリント用紙Ｐを充填した２台のペーパーマガジン３１ａ・３１ｂと、ペーパーマガジン３１ａ・３１ｂから送り出されるプリント用紙紙Ｐを搬送するための搬送機構３２と、搬送機構３２で搬送されるプリント用紙Ｐにサブコントローラ３０を介して画像Ｍを露光するための露光機構３３とが搭載されている。
【００１８】
そしてプリンター３では、メインコントローラ２５から出力されたプリントデータがサブコントローラ３０に入力されるに伴い、このサブコントローラ３０で、入力されるプリントデータに基づいて露光用データが生成されて、露光機構３３に出力されるようにしている。
【００１９】
尚、実施形態では、露光機構３３としてレーザービーム方式のものを採用しているが、これ以外に、仕様に応じてＰＬＺＴシャッター方式、液晶シャッター方式、蛍光ビーム方式等を採択することが出来る。
【００２０】
プロセッサ４は、画像Ｍが焼き付け処理されたプリント用紙Ｐを現像処理するための現像処理機構４１と、現像処理機構４１で現像処理されたプリント用紙Ｐを乾燥するための乾燥処理機構４２と、乾燥処理されたプリント用紙Ｐを排出するためのプリント排出機構４３と、このプリント排出機構４３から排出されたプリント用紙Ｐを仕分け部４５に向けて搬送するための搬送コンベヤ４４とを備えている。
【００２１】
現像処理機構４１は複数の処理槽を備えており、これら処理槽には、現像液、漂白・定着液、安定化液等の各種処理液がそれぞれ個別に貯溜されている。
【００２２】
乾燥処理機構４２は、プリント用紙Ｐを乾燥するためのヒーターを備え、搬送機構（図示せず）でプリント用紙Ｐを搬送させる間にこのプリント用紙Ｐをヒーターによって適宜乾燥するようにしており、乾燥処理機構４２で乾燥されたプリント用紙Ｐは、プリント排出機構４３に送られるようになっている。
【００２３】
以上の構成から成る写真処理装置において、図３に示す実施形態では、矩形の画像表示窓９１を有するマット９０が備えられた額縁９用のプリントを作成出来るようにするために、制御手段を構成するメインコントローラ２５のプログラム上には、
プリント用紙Ｐのサイズを設定するための用紙サイズ設定機能５と、
画像表示窓９１の横方向の開口寸法Ｌ１及び縦方向の開口寸法Ｌ２に基づいて、プリントする画像Ｍの大きさを設定するための画像寸法設定機能６と、
用紙サイズ設定機能５で設定されたプリント用紙Ｐに対して画像寸法設定機能６で設定された画像Ｍのプリント位置を設定するためのプリント位置設定機能７とが構築されている。
【００２４】
用紙サイズ設定機能５は、モニター２７に表示されるプリントチャンネル設定画面上で、オペレータによるキーボード２６ａの入力操作の入力情報に基づいて、プリント用紙Ｐのサイズが設定されるようになっている。
【００２５】
画像寸法設定機能６は、同じくモニター２７に表示されるプリントチャンネル設定画面上で、オペレータによるキーボード２６ａの入力操作の入力情報に基づいて、用紙サイズ設定機能５にて設定されたサイズのプリント用紙Ｐにプリントする画像Ｍの寸法が設定されるようになっている。
【００２６】
具体的には、オペレータによるキーボード２６ａの操作によって、マット９０の画像表示窓９１における横方向の開口寸法Ｌ１と縦方向の開口寸法Ｌ２とが入力されるに伴い、入力された画像表示窓９１の縦方向及び横方向の開口寸法Ｌ１・Ｌ２に対して予め設定された長さ（実施形態では、１ｍｍ）のスピルオーバーを加えた大きさに設定するようにしている。
【００２７】
従って、例えば画像表示窓９１における横方向の開口寸法Ｌ１が２２４ｍｍで、縦方向の開口寸法Ｌ２が１８３ｍｍである場合には、画像表示窓９１における横方向の開口寸法Ｌ１及び縦方向の開口寸法Ｌ２の入力に伴い、画像寸法設定機能６により、プリント用紙Ｐにプリントされる画像Ｍが、横寸法２２５ｍｍで縦寸法１８４ｍｍの大きさに設定される。
【００２８】
またプリント位置設定機能７は、露光機構３３によるプリント用紙Ｐへの露光開始点、具体的には、プリント用紙Ｐの側端から露光機構３３による走査露光の主走査方向（搬送機構３２によるプリント用紙Ｐの搬送方向に直交する方向と同方向）におけるプリント開始位置までの寸法Ｓ１と、プリント用紙Ｐにおける搬送方向前端から露光機構による走査露光の副走査方向（搬送機構３２によるプリント用紙Ｐの搬送方向と同方向）におけるプリント開始位置までの寸法Ｓ２が、キーボード２６ａにより入力されるに伴い、この入力情報に基づいて、プリント用紙へのプリント開始位置が設定されて、この設定に基づいて露光機構３３によるプリント用紙Ｐへの画像Ｍの露光位置が制御されるようにしている。
【００２９】
次に以上の構成からなる写真処理装置により、１３５タイプのフィルムで撮影された画像から、横幅寸法が２５４ｍｍで縦方向の寸法が２０３ｍｍである六つ切り用の額縁９に入れるプリントの作成例を説明する。
【００３０】
先ず、モニター２７にプリントチャンネル設定画面を表示し、この設定画面上にて、キーボード２６ａ若しくはマウス２６ｂの操作により、プリント用紙Ｐの大きさとして六つ切りタイプ（２０３ｍｍ×２５４ｍｍ）が設定されているプリントサイズを選択する。
【００３１】
これに伴い、プリント用紙Ｐのサイズが用紙サイズ設定機能５によって六つ切りタイプに設定されて、この六つ切りタイプに合致する２０３ｍｍ幅のロール状に巻かれたプリント用紙Ｐによるプリント処理が決定される。
【００３２】
次に、マット９０に設けられた画像表示窓９１の縦方向の開口寸法Ｌ２（１８３ｍｍ）と横方向の開口寸法Ｌ１（２２４ｍｍ）とをキーボード２６ａの操作によりメインコントローラ２５に入力する。
【００３３】
これに伴い、画像寸法設定機能６により、プリント処理する画像Ｍが、画像表示窓９１の縦方向の開口寸法Ｌ２及び横方向の開口寸法Ｌ１にそれぞれ１ｍｍを加算した縦寸法１８４ｍｍ、横寸法２２５ｍｍの大きさに設定される。
【００３４】
続いて、プリント用紙Ｐに対する画像Ｍの位置、即ち、プリント用紙Ｐに対する画像Ｍの露光開始位置となる角の位置をキーボード２６ａにより入力する。
【００３５】
具体的には、プリント用紙Ｐの側端から露光機構３３による走査露光の主走査方向（搬送機構３２によるプリント用紙Ｐの搬送方向に直交する方向と同方向）におけるプリント開始位置までの寸法Ｓ１（実施形態では１０ｍｍ）と、プリント用紙Ｐにおける搬送方向前端から露光機構３３による走査露光の副走査方向（搬送機構３２によるプリント用紙Ｐの搬送方向と同方向）におけるプリント開始位置までの寸法Ｓ２（実施形態では１５ｍｍ）を、キーボード２６ａによりメインコントローラ２５に入力する。
【００３６】
これにより、プリント位置設定機能７により、プリント用紙Ｐに対する画像の露光開始位置が設定され、この設定に基づき、露光機構３３によるプリント用紙Ｐへの露光開始点が決定されるのであって、以降、露光機構３３によるプリント用紙Ｐへの画像Ｍの露光が行なわれた後、プロセッサ４にて現像処理及び乾燥処理が行なわれて、所望のプリントが完成するのである。
【００３７】
斯くして、以上の写真処理装置１により作成されたプリントを額縁９内に入れた時、プリント用紙Ｐにプリントされた画像Ｍがマット９０の画像表示窓９１に合致し、画像Ｍが不用意に欠けるようなことがないし、また画像Ｍが画像表示窓９１よりも僅かに大きく形成されているので、プリント用紙Ｐにおける画像Ｍの外周りの白抜きとなる枠状の白縁部分Ｔが、画像表示窓９１から露呈するような不具合もない。
【００３８】
尚、以上の写真処理装置では、フィルムのコマ画像のサイズとマット９０に設けられた画像表示窓９１の縦横比が合致しない場合には、モニター２７に画像表示窓９１と画像Ｍの枠を表示して、オペレータがキーボード２６ａ若しくはマウス２６ｂの操作により、画像表示窓９１に対する画像Ｍの形状乃至大きさの設定を変更するようにしている。
【００３９】
以上の実施形態では、露光機構３３によるプリント用紙Ｐへの露光開始点をキーボード２６ａにより入力するに伴い、この入力情報に基づいて、プリント位置設定機能７により、プリント用紙Ｐに対する画像Ｍのプリント位置を設定するようにしたが、これに限定されるものではなく、例えば、画像寸法設定機能６で設定された大きさの画像Ｍが用紙サイズ設定機能５で設定されたサイズのプリント用紙Ｐの中央に配置されるように、プリント位置設定機能７により自動的に設定するようにしてもよい。
【００４０】
【発明の効果】
以上説明したように、請求項１に記載の発明によれば、写真処理装置の駆動を制御するための制御手段と、この制御手段に各種情報を入力するための入力手段が備えられ、制御手段には、プリント用紙のサイズを設定するための用紙サイズ設定機能と、前記画像表示窓の縦及び横方向の開口寸法に基づいて、プリントする画像の大きさを設定するための画像寸法設定機能と、用紙サイズ設定機能で設定されたプリント用紙に対して画像寸法設定機能で設定された画像のプリント位置を設定するためのプリント位置設定機能とが備えられたことにより、用紙サイズ設定機能で設定されたプリント用紙に対して、画像寸法設定機能で設定された額縁の画像表示窓に適合する大きさの画像が、プリント位置設定機能で設定された位置にプリントすることが出来、このプリントをマット付きの額縁に入れた場合でも、プリント用紙にプリントされている画像がマットの画像表示窓に合致し、画像が不用意に隠れるようなことがない。
【００４１】
また請求項２に記載の発明によれば、請求項１に記載の画像寸法設定機能が、画像表示窓の縦及び横方向の開口寸法に対して予め設定された長さを加えた大きさに設定するようにしていることにより、請求項１に記載の発明の効果に加え、画像周りの白縁部分が不用意に画像表示窓から露呈するのを抑制することが出来、作成されたプリントが額縁に入れられた時の見栄えを損なうことがない。
【図面の簡単な説明】
【図１】本発明にかかる写真処理装置の構成図。
【図２】同、写真処理装置の制御系統の構成図。
【図３】本発明にかかる写真処理装置で作成されるプリントと額縁との関係を示す説明図。
【符号の説明】
１　　　写真処理装置
２　　　画像処理機
２５　　メインコントローラ（制御手段）
２６ａ　キーボード（入力手段）
３　　　プリンター
４　　　プロセッサ
５　　　用紙サイズ設定機能
６　　　画像寸法設定機能
７　　　プリント位置設定機能
９　　　額縁
９０　　マット
９１　　画像表示窓
Ｐ　　　プリント用紙
Ｍ　　　画像
【図１】
2004133116.tif 000003
【図２】
2004133116.tif 000004
【図３】
2004133116.tif 000005